(57)【特許請求の範囲】
【請求項１】
可燃性燃料を含む固体燃料用燃焼炉において、該炉は、火格子（１１）を備えており、該火格子（１１）は、開口部（１２）を備え、該開口部（１２）は、空気または燃焼用の他のガス混合物を該炉に供給し、該炉は、更に第一のロッドフィーダー（１）を備え、該第一のロッドフィーダー（１）によって、燃料が該火格子（１１）上に移送され、該ロッドフィーダー（１）は、２本の平行な棒（３ａ，３ｂ）から成り、該棒（３ａ，３ｂ）の間には、複数のキャリヤー（５）が設けられ、該ロッドフィーダー（１）は、該火格子（１１）上を往復動し、該炉の特徴は、該開口部（１２）と、第二のロッドフィーダー（２）とにあって、
該開口部（１２）は、該可燃性燃料を含む固体燃料を上に載せるためのレール（１４）を担持するスペーサー（１３）によって包囲され、当該スペーサー（１３）と該レール（１４）との間に、スロット（１５）が形成されるので、空気は、該火格子（１１）上に流れ込んで、該火格子（１１）と平行に流れ、
該第二のロッドフィーダー（２）は、該第一のロッドフィーダー（１）の上に載置されていて、該火格子（１１）上の該燃料を移送させ、該第二のロッドフィーダー（２）は、間に複数のキャリヤー（６）を備えた２本の平行な棒（４ａ，４ｂ）から成り、該火格子（１１）の上を、該第一のロッドフィーダー（１）とは独立して往復動することが出来るように構成されている、ことを特徴とする燃焼炉。
【請求項２】
前記開口部（１２）は前記火格子（１１）の上に縦横それぞれ等間隔に配列された複数のスロット形状のものであることを特徴とする請求項１に記載された燃焼炉。
【請求項３】
前記第一のロッドフィーダー（１）の前記キャリヤー（５）及び前記第二のロッドフィーダー（２）の前記キャリヤー（６）は前記火格子（１１）上で同一レベルに設けられていることを特徴とする請求項１または２に記載された燃焼炉。
【請求項４】
二重のピストンフィーダー（７，８）は前記ロッドフィーダー（１，２）のフィーダー端部にそれぞれ設けられていることを特徴とする請求項１から３のいずれか一つに記載された燃焼炉。
【請求項５】
前記二重のピストンフィーダー（７，８）はそれぞれ二つの互いに独立して移動することのできるプレート（９，１０）を含んでいることを特徴とする請求項４に記載された燃焼炉。
【発明の詳細な説明】
【０００１】
本発明は請求の範囲第１項前半に述べるような可燃性燃料を含む固体燃料のための燃焼炉に関するものである。
【０００２】
いわゆる「精製抽出燃料」ＲＤＦは家庭廃棄物等から非燃物を取り除いた結果物である。ＲＤＦはより高いカロリー値を得るため樹皮や木材チップと混合することができる。この燃料は可能な限り公害を低く抑制しつつ、最適量のエネルギーを引き出すため特殊な炉の中で燃焼させる。このような炉はまた例えばあらゆる種類のバイオマス、泥土、或種の危険廃棄物のような他の固体材料を処理することができるべきである。
原則的には、ＲＤＦの燃焼炉はしばしばいくつかのセクションに分割されている第一次空気室の上に設けられる火格子に燃料を供給する方法で使用される。その燃焼炉は燃料が二段階で燃焼するよう第一次燃焼室と第二次燃焼室とに分割されている。
【０００３】
この種の既知の火格子燃焼炉の欠点はエネルギーの利用と公害の低減の両方に対して最適の燃焼を達成することが困難であることである。このことは柔軟性に欠け、種々の密度と内容の燃料を調整するための制御手段を持たない炉であることによるものである。
大部分について、このことはノルウェー特許Ｎｏ．１７６，４５５に記載された炉を使用することにより解決する。ここでは、燃焼室は少なくとも部分的に分割板で分割され、第一次及び第二次燃焼室に別れている。さらに、火格子の下では、個々に制御可能で、好ましくは高温の、空気と循環ガスの供給を行ういくつかのゾーンに分割された空気供給口が備えられている。しかしながら、それでもなお、炉の最適利用のための柔軟な方法での燃料供給量の調節は可能ではない。最適の燃焼を達成するためには、第一次空気の火格子への供給量は可能な限り均一に分布させることが重要である。
【０００４】
燃料が第一次空気室の上に設けられた火格子に供給される廃棄物燃焼炉は例えばスエーデン特許出願Ｎｏ．９３０１２５３−２及びスエーデン特許Ｎｏ．５０１２２６から知られている。
スエーデン特許出願Ｎｏ．９３０１２５３−２は第一次空気室へ燃料を移送する単純なロッドフィーダーを開示している。このようなロッドフィーダーの欠点は燃料が一種の振り子のような運動をして行ったり来りするだけで不均一な分布状態に置かれるという懸念が存在することである。
【０００５】
スエーデン特許Ｎｏ．５０１２２６ではまた単純なロッドフィーダーを備えてはいるが、さらに火格子に固定されたカウンタースクレープを備えたものを記載している。この炉は燃料を或程度より効果的に移送し得る。しかしながら、静止したカウンタースクレープの近傍で燃料の団塊が形成されるため、火格子に沿って燃料を完全に均一に分布させることは困難である。
さらに、スエーデン特許Ｎｏ．５０１２２６は穴付きチャンネルによる下からの第一次空気供給を開示している。しかしながら、これは燃焼を不均一にさせ、空気が火格子に進入する領域で最も強烈な燃焼にする。
かくして本発明の目的は燃料と燃焼用空気の両方が最適の燃焼のため火格子に沿って均一に供給され、分布させる上記の種類の装置を提供することである。
本発明の目的は請求の範囲第１項の後半に述べるような特徴を持つ燃焼炉で達成される。その他の特徴は従属する請求の範囲から明らかである。
【０００６】
本発明の以下の詳細な説明において、添付図面を参照して好ましい実施例について述べる。
図１は本発明によるツィンピストンフィーダーとツィンロッドフィーダーの図である。
図２は本発明による火格子を示し、通気穴の上にレールを備えていない。
図３は本発明による火格子の詳細な断面図であり、レールを備えている。
図１において、例えばノルウェー特許Ｎｏ．１７６，４５５に示すような、燃焼炉内の火格子の上に置いて配置される下部及び上部ロッドフィーダー１，２を示している。各ロッドフィーダー１，２は間にそれぞれ複数のキャリヤー５及び６を備えた２本の角形チューブ３ａ，３ｂ；４ａ，４ｂから成っている。キャリヤー５は角形チューブ３ａ，３ｂに取り付けられており、キャリヤー６は角形チューブ４ａ，４ｂに取り付けられている。ロッドフィーダー１，２は互いに独立して火格子の上を往復移動することができる。好ましくは、ロッドフィーダー１の角形チューブ３ａ，３ｂはそれぞれのロッドフィーダー２の角形チューブ４ａ，４ｂの下に配置される。
【０００７】
燃料が供給されるロッドフィーダー１，２の端部においては２個のピストンフィーダー７，８が２個のプレート９，１０を含んで設けられており、一方のプレート１０は他方のプレート９の上に位置決めされている。ピストンフィーダー７，８はキャリヤー５，６及び火格子１１（後述図２）に燃料を供給するため、互いに独立に、そしてそれぞれ角形チューブ３ａ，３ｂ；４ａ，４ｂとは独立して往復移動させることができる。燃料は既知の方法で上方からピストンフィーダー７，８に供給される。
図示の実施例において、プレート９，１０はキャリヤー５，６と同じレベルに設けられている。燃料の種類または他の条件によっては、プレート９，１０はキャリヤー５，６より高いレベルに設けることができる。
【０００８】
キャリヤー５，６は実質的に閉鎖Ｖ字形の断面を持ち、そのため、そのＶ字形の脚の一つは火格子の方に向けられており、そのＶ字形の頂端はピストンフィーダー７，８の方に向けられている。キャリヤー５，６の、ピストンフィーダー７，８から最も遠い側面は火格子に対し実質的に９０度の角度をなすプレート部分を含んでいる。
ロッドフィーダー１，２のそれぞれに対するキャリヤー５，６はたとえ角形チューブ３ａ，３ｂ；４ａ，４ｂが互いに反対位置から向きあっていても、同じレベルにある。
互いに独立のピストンフィーダー７，８とロッドフィーダー１，２の組合わせは非常に柔軟な燃料移送システムを提供する。このシステムの中にある調節オプションの使用により、燃料量、火格子に沿った燃料分布そしてそれ故の燃料供給の完全制御は、最適燃焼が達成されるような方法で供給側から燃焼プロセスを制御することを可能にする。同時に、燃焼炉の容量は既知の炉よりもっと良い方法で調節することができる。
【０００９】
図２は空気または他のガス混合物を燃焼プロセスに供給するためのスロットとして形成された開口部１２を備えた、上から見た火格子１１を示す。スロット形状の開口部１２は火格子１１の上に行列を作って配列されている。図２は二つのそのような列を示している。
図３は火格子１１の一部分の断面を示す。各開口部１２の両側において、上にレール１４を設けた一対のスペーサー１３が配置されており、スペーサー１３とレール１４の間にスロット１５が形成されるようになっている。空気は開口部１２を通って火格子１１の下から供給され、スロット１５から水平に抜け出る。この構造は空気の広がりをより良くし、二重のロッドフィーダー１，２により達成される最適の分配で炉内の均一な燃焼をもたらすであろう。
【図面の簡単な説明】
【図１】本発明によるツィンピストンフィーダーとツィンロッドフィーダーの図である。
【図２】本発明による火格子を示し、通気穴の上にレールを備えていない。
【図３】本発明による火格子の詳細な断面図であり、レールを備えている。
【符号の説明】
１  第一のロッドフィーダー    ２  第二のロッドフィーダー
３ａ，３ｂ，４ａ，４ｂ  平行な棒          ５，６  キャリヤー
７，８  ピストンフィーダー  ９，１０  プレート  １１  火格子
１２  開口部        １３  スぺーサー      １４  レール  １５  スロット
【図１】
0004329891.tif 000002
【図２】
0004329891.tif 000003
【図３】
0004329891.tif 000004